(57)【要約】【課題】気密性の確保が可能であり、蓋の開放に際しては、工具を用いることなく簡単に蓋を開放できるようにする。【解決手段】蓋付き金属缶は、接着剤、シーリング剤、ペンキのいずれかが気密状態で充填されたもので、容器体２と、容器体２の上面の開口部に被せられた蓋３とから成る。容器体２は胴部２０の全長にわたる溶接部と上面の開口縁に沿うカール部２２とを有する。蓋３は容器体２のカール部２２が嵌り込む周溝３１と周溝３１内に装着されたゴム製のパッキン３２とを有し、蓋３の中央部に通気孔３３が形成されている。脱気し減圧された密閉空間において、接着剤、シーリング剤、ペンキのいずれかが装填された容器体２の上面の開口部に対して、通気孔３３がシール６により外側より塞がれた蓋３を、容器体２のカール部２２と周溝３１とが嵌合するように被せる。【選択図】図２
2014172613.tif 000002
【特許請求の範囲】
【請求項１】
接着剤、シーリング剤、ペンキのいずれかが気密状態で充填される蓋付き金属缶であって、上面が開口した有底の容器体と、その容器体の上面の開口部に被せられた蓋とから成り、前記容器体は、胴部の全長にわたる溶接部と上面の開口縁に沿うカール部とを有し、前記蓋は、容器体のカール部が嵌り込む周溝と周溝内に装着されるゴム製のパッキンとを有し、蓋と容器体のカール部の近傍との少なくとも一方に通気孔が形成されており、脱気し減圧された密閉空間において、接着剤、シーリング剤、ペンキのいずれかが装填された容器体の上面の開口部に対して、前記通気孔がシールにより外側より塞がれた蓋を、容器体のカール部と周溝とが嵌合するように被せることにより、蓋が容器体の上面の開口部に吸着されて成る蓋付き金属缶。
【請求項２】
前記容器体は、上方に向けて拡がるテーパの胴部と、胴部の下面の開口を開口面より上方の位置で塞ぐ底部とを有し、前記通気孔を蓋の中央部に形成して成る請求項１に記載された蓋付き金属缶。
【発明の詳細な説明】
【技術分野】
【０００１】
この発明は、接着剤、シーリング剤、ペンキのいずれかが気密状態で充填される蓋付き金属缶に関する。
【背景技術】
【０００２】
従来、蓋付き金属缶として「溶接缶」と呼ばれるスチール缶が広く用いられている。その種の蓋付き金属缶は、上面が開口した有底の容器体と、その容器体の上面の開口部に被せられた蓋とから成るもので、前記容器体の胴部は、矩形状の鋼板を円筒形状に曲げ加工しかつ両側縁を溶接することにより形成される。胴部の上面の開口縁にはカール部が形成され、下面の開口には円板状の鋼板を巻締により一体結合して底部が形成されている。胴部の表面には突起状の溶接部が全長にわたって存在するもので、容器体の上面の開口部に蓋を被せたとき、前記の溶接部において気密性の保持が困難である。このため、気密性が必要とされる内容物については溶接缶は使用できない。特に、接着剤、シーリング剤、ペンキは、湿気、酸素、光が反応基を動かして硬化させるため、溶剤系、水性系を問わず、使用するスチール缶は、湿気、酸素、光を確実に遮断し、完全な気密性が保持できるものでなければならない。
【０００３】
上記の溶接缶を改良することで、接着剤、シーリング剤、ペンキを装填することの試みもなされている。図４に示す溶接缶８は、容器体８０の開口部に帯状の内張り材８２を巻締により装着したものである。また、図５に示す溶接缶９は、蓋９１の下面の外周部分に突条９２を一周形成し、一方、容器体９０の開口部の内側に前記突条９２が嵌合する凹溝９３を有する環状の蓋受け部９４を巻締により一体に設けたものである（例えば、特許文献１参照）。
【先行技術文献】
【特許文献】
【０００４】
【特許文献１】特開平７−２０５９８２号公報
【発明の概要】
【発明が解決しようとする課題】
【０００５】
しかし、図４および図５に示す溶接缶８，９は、液体の漏れを防止することができるが、容器体８０，９０に変形が生じるうえに容器体８０，９０の開口部に別部品が取り付けられているため、気密性の確保が難しく、容器体８０，９０の内部への気体の侵入を確実に防止できない。また、図５に示す溶接缶９では、蓋９１の突条９２が蓋受け部９４の凹溝９３に強固に嵌合しているため、蓋９１を開放するにはドライバーなどの工具が必要であり、開放作業時に蓋９１を破損するおそれがある。そのうえ、蓋受け部９４の存在によって内容物の全てを取り出すのが容易でないという問題もある。
【０００６】
この発明は、上記の問題に着目してなされたもので、接着剤、シーリング剤、ペンキのいずれかが気密状態で充填された蓋付き金属缶であって、気密性の確保が可能であり、また、蓋の開放に際しては、工具を用いることなく簡単に蓋を開放でき、内容物の取出しになんらの支障も生じない蓋付き金属缶を提供することを目的とする。
【課題を解決するための手段】
【０００７】
この発明による蓋付き金属缶は、接着剤、シーリング剤、ペンキのいずれかが気密状態で充填されて成るものであって、上面が開口した有底の容器体と、その容器体の上面の開口部に被せられた蓋とから成る。前記容器体は、胴部の全長にわたる溶接部と上面の開口縁に沿うカール部とを有し、前記蓋は、容器体のカール部が嵌り込む周溝と周溝内に装着されるゴム製のパッキンとを有し、蓋と容器体のカール部の近傍との少なくとも一方に通気孔が形成されている。脱気し減圧された密閉空間において、接着剤、シーリング剤、ペンキのいずれかが装填された容器体の上面の開口部に対して、前記通気孔がシールにより外側より塞がれた蓋を、容器体のカール部と周溝とが嵌合するように被せることにより、蓋が容器体の上面の開口部に吸着されて成る。
【０００８】
上記した構成の蓋付き金属缶では、缶内は減圧状態にあるので、蓋が容器体の上面の開口部に吸着され、容器体の開口縁に沿うカール部は蓋の周溝内に装着されたパッキンに食い込み状態で密接する。これにより湿気、酸素、光が完全に遮断されて缶内の完全な機密性が保持され、缶内で接着剤、シーリング剤、ペンキが硬化することがない。
蓋の開放に際して、シールを剥がすと、通気孔から空気が缶内に流入して蓋の吸着状態が解除され、蓋を容器体の上面の開口部より簡単に取り外すことができる。
【０００９】
この発明の好ましい実施態様においては、前記容器体は、上方に向けて拡がるテーパの胴部と、胴部の下面の開口を開口面より上方の位置で塞ぐ底部とを有するものであって、前記通気孔を蓋の中央部に形成している。
この実施態様によると、容器体の胴部が上方に向けて拡がるテーパに形成されているので、蓋付き金属缶を積み上げることができ、また、積み上げた状態のとき、下段の缶の蓋の通気孔を塞ぐシールは上段の缶の底部の下方の空間内に位置するから、シールが上段の缶に擦られるなどして剥がれることがない。
【発明の効果】
【００１０】
この発明によれば、溶接部を有する金属缶であっても、湿気、酸素、光が完全に遮断されて缶内の完全な機密性を保持でき、缶内に充填された接着剤、シーリング剤、ペンキが缶内で硬化することがない。また、蓋を開放するのに、従来例のように工具を用いる必要がなく、蓋を簡単に開放することができ、さらに、内容物の取出しに支障をきたすこともない。
【図面の簡単な説明】
【００１１】
【図１】この発明の一実施例である蓋付き金属缶の外観を示す斜視図である。
【図２】図１の蓋付き金属缶の一部分を拡大して示す断面図である。
【図３】図１の蓋付き金属缶の製造工程を示す説明図である。
【図４】従来の蓋付き金属缶の一部を拡大して示す断面図である。
【図５】従来の他の蓋付き金属缶の一部を拡大して示す断面図である。
【発明を実施するための形態】
【００１２】
図１は、この発明の一実施例である蓋付き金属缶１の外観を示している。図示例の蓋付き金属缶１は、「溶接缶」と呼ばれるスチール缶を用いて形成されたもので、容器体２と蓋３と手提げ用の把手４とを有している。容器体２は、上面が開放されたほぼ円筒形状の胴部２０と、胴部２０の下面の開口を塞ぐように円板状の鋼板の外周縁を巻締により一体結合して形成された底部２１とから成る。底部２１は胴部２０の下面を下端の開口面より上方の位置で塞いでいる。胴部２０の上面の開口縁には、図２に示すようなカール部２２が形成されており、このカール部２２に蓋３の外周部が嵌着されている。缶内は、脱気され減圧された状態にあり、接着剤、コーキング剤、ペンキのいずれかが気密状態で充填されている。
【００１３】
容器体２の胴部２０は、ほぼ矩形状の鋼板をほぼ円筒形状に曲げかつ両側縁を溶接して形成されるもので、胴部２０の外周面には突起状の溶接部２３が全長にわたって生じている。胴部２０は、底面の開口の径に対して上面の開口の径が大きくなるように、上拡がりのテーパに形成されている。胴部２０の外周面のカール部２２の近傍には、内面側が凹み外面側が突き出た膨出部２４に周設されている。この膨出部２４は、把手４が取り付けられていない容器体を複数個積み重ねたときに、上段の容器体が下段の容器体内に深く入り込んで緊密に嵌合するのを防止するためのものである。この膨出部２４と蓋３の外周縁との間にはコイン１０の外周縁を挿入することが可能な隙間ｄが存在しており、開缶時にその隙間ｄへコイン１０の外周縁を挿入して押し上げることにより、梃子の原理で蓋３が容易に開放できるようになっている。
なお、図示例の容器体２は、錫をメッキした薄い鉄板（一般に「ブリキ」と呼ばれる。）により形成されているが、これに限らず、後述するスポット溶接が可能なものであれば、ステンレスなど、種々の材質のものを用いてもよい。
【００１４】
容器体２の胴部２０の外周面には、手提げ用の把手４が蓋３を跨ぐようにして取り付けられている。把手４は、金属製や合成樹脂製であってアーチ形状をなし、その両端部が胴部２０の前記膨出部２４の下方の対角位置にそれぞれ装着された鉄板製の金具５を介して起伏自由に取り付けられている。各金具５は、キャップ形状をなし、その開放縁に鍔状をなす突き当て部５１が形成されている。この突き当て部５１は胴部２０の外周面に当接され、その複数箇所がスポット溶接により胴部２０に一体接合されている。
なお、胴部２０の外周面に熱収縮性の合成樹脂フィルムを熱収縮させた外被体を装着することも可能であり、その外被体の内周面に内容物の種類などを表示するための文字や図形が印刷される。
【００１５】
前記蓋３は、容器体２と同じ材質のものであり、蓋３の中央部には、直径が１ｍｍ程度の小さな通気孔３３が貫通して形成されている。この通気孔３３は蓋３の上面に貼付された遮光性を有するシール６によって塞がれている。図示例のシール６は、厚手の金属箔の片面に粘着剤が塗布されたものである。蓋３の外周縁には容器体２のカール部２２が嵌り込む周溝３１が一周形成されており、その周溝３１の溝底にゴム製のパッキン３２が装着されている。缶内は減圧された状態にあり、カール部２２はパッキン３２に食い込むように密接するので、蓋３は容器体２の上面の開口部に吸着されている。
なお、通気孔３３は、蓋３に限らず、容器体２のカール部２２の近傍に形成することもできる。また、容器体２のカール部２２において、気密性保持の目的で、溶接部２３に接着剤やニスなどを部分的に塗布してもよい。
【００１６】
上記した蓋付き金属缶１を製作するには、図３（１）に示すように、脱気装置７を構成する水平なテーブル７０上に内容物が装填された容器体２を載置する。図中、７１はテーブル７０上に設置されたリング状の位置決め具であり、その位置決め具７１内に容器体２が定位するように位置決め配置される。テーブル７０の上方にはチャンバー７２が昇降機構７３により昇降可能に支持されている。チャンバー７２は下面が開放されたキャップ形状のものであり、その開放端面にＯリング７２ａが設けられている。図示例の昇降機構７３は一対のエアシリンダにより構成されており、各エアシリンダのシリンダロッドの下端にチャンバー７２が連結支持されている。
【００１７】
チャンバー７２の内部には蓋支持板７４が配置されている。蓋支持板７４は、下面の外周部に一定角度おきに永久磁石７５が組み込まれ、下面の中央部にノックアウト７６が出没可能に配設されたものである。脱気に先立ち、蓋３は蓋支持板７４によって永久磁石７５による磁気吸着により水平姿勢で支持される。蓋支持板７４およびノックアウト７６を支持する軸は図示しない昇降機構にそれぞれ連結支持されている。なお、蓋３の通気孔３３はシール６により外側より塞がれている。チャンバー７２にはバキューム装置（図示せず）に連通する吸気管７８が接続されている。吸気管７８の途中に電磁弁７９が介装されており、電磁弁７９の切換動作により吸気管７８がバキューム装置と連通したり、大気と連通したりする。
【００１８】
図３（１）に示す準備工程において、テーブル７０上に容器体２を位置決め配置し、蓋支持板７４により蓋３を支持した後、次の脱気工程へ移行する。まず、昇降機構７３を動作させてチャンバー７２をテーブル７０の上面に接する位置まで降下させ、容器体２上をチャンバー７２により密閉状態で覆った後、吸気管７８にバキューム装置を連通させてチャンバー７２内を脱気し減圧する（図３（２）参照）。次に、蓋３を蓋支持板７４と一体に降下させ、容器体２のカール部２２と蓋３の周溝３１とが嵌合するようにして蓋３を容器体２の上面の開口部に被せる（図３（３）参照）。その後、電磁弁７９の切換動作により吸気管７８を大気に連通させると、チャンバー７２内は大気圧となり、蓋３は容器体２の上面の開口部に吸着され、容器体２の開口部のカール部２２は蓋３の周溝３１内に装着されたパッキン３２に食い込み状態で密接する。なお、チャンバー７２内の空気を窒素で置換した後にバキューム装置によりチャンバー７２内を減圧するようにしてもよい。
【００１９】
次に、ノックアウト７６により蓋３を押さえた状態で蓋支持板７４を上昇させて永久磁石７５と蓋３との磁気吸着を解除した後、次にノックアウト７６を上昇させ、さらに、昇降機構７３を動作させてチャンバー７２を上昇させる（図３（４）参照）。これにより、テーブル７０上より蓋付き金属缶１を取り出すことができる。
なお、缶内の減圧によって蓋３は容器体２の上面に強く吸着されているので、その吸着力が永久磁石７５による磁気吸引力より勝っていれば、蓋支持板７４を上昇させるだけで永久磁石７５と蓋３との磁気吸着は解除され、その場合は上記のノックアウト７６を蓋支持板７４に必ずしも設ける必要はない。
【００２０】
蓋付き金属缶１の缶内は、遮光されかつ脱気されかつ減圧された状態で密封されているので、蓋３は容器体２の上面に吸着されるとともに、湿気、酸素、光が完全に遮断され、缶内の完全な気密状態が保持される。したがって、缶内で接着剤、シーリング剤、ペンキが硬化することはない。
蓋３を開放するときは、シール６を蓋３の上面より剥がすと、通気孔３３が開放されて缶内が大気と連通し、通気孔３３から空気が缶内に流入し、蓋３の吸着状態が解除されるので、蓋３を容器体２の開口部より簡単に取り外すことができる。
【００２１】
なお、容器体２は、胴部２０が上方に向けて拡がるテーパに形成されているので、蓋付き金属缶１を積み上げることができ、また、積み上げた状態のとき、下段の缶の蓋３の通気孔３３を塞ぐシール６は、上段の缶の底部２１の下方の空間内に位置するから、シール６が上段の缶に擦られるなどして剥がされることがない。
【符号の説明】
【００２２】
１    蓋付き金属缶
２    容器体
３    蓋
６    シール
２０  胴部
２１  底部
２２  カール部
２３  溶接部
３１  周溝
３２  パッキン
３３  通気孔
【図１】
2014172613.tif 000003
【図２】
2014172613.tif 000004
【図３】
2014172613.tif 000005
【図４】
2014172613.tif 000006
【図５】
2014172613.tif 000007